(57)【要約】  【課題】ドア付きパネルを有する可動間仕切壁において、部品点数の削減を図りつつ、また、ドア巾木作動機構の各構成部品に強度が高いものを採用することなく、さらにドアの開閉操作に影響を及ぼすことなく、床の不陸に対応させる。  【解決手段】下縁部に下巾木を備えたドア付きパネルを天井レールに沿って移動可能に設けてなり、前記ドア付きパネルが所定の設置位置に達した状態で前記下巾木を床から離間した没入姿勢から床に接する突出姿勢にまで作動させ得るように構成された可動間仕切壁における前記ドア付きパネルに、ドア枠を有するパネル本体と、このパネル本体のドア枠内に開閉可能に配され下縁部にドア巾木を有するドアと、このドアが閉止姿勢にある場合に前記ドア巾木を付勢部材による引上げ力を解除して重力により下方に突出させるとともに前記ドアが開き姿勢にある場合に前記ドア巾木を前記引上げ力により没入させるドア巾木作動機構とを備えさせる。【選択図】図１８
2018003404.tif 000002
【特許請求の範囲】
【請求項１】
下縁部に下巾木を備えたドア付きパネルを天井レールに沿って移動可能に設けてなり、前記ドア付きパネルが所定の設置位置に達した状態で前記下巾木を床から離間した没入姿勢から床に接する突出姿勢にまで作動させ得るように構成された可動間仕切壁であって、
前記ドア付きパネルが、ドア枠を有するパネル本体と、このパネル本体のドア枠内に開閉可能に配され下縁部にドア巾木を有するドアと、このドアが閉止姿勢にある場合に前記ドア巾木を付勢部材による引上げ力を解除して重力により下方に突出させるとともに前記ドアが開き姿勢にある場合に前記ドア巾木を前記引上げ力により没入させるドア巾木作動機構とを備えたものである可動間仕切壁。
【請求項２】
下縁部に下巾木を備えたドア付きパネルを天井レールに沿って移動可能に設けてなり、前記ドア付きパネルが所定の設置位置に達した状態で前記下巾木を床から離間した没入姿勢から床に接する突出姿勢にまで作動させ得るように構成された可動間仕切壁であって、
前記ドア付きパネルが、ドア枠を有するパネル本体と、このパネル本体のドア枠内に開閉可能に配され下縁部にドア巾木を有するドアと、このドアが閉止姿勢にある場合に前記ドア巾木を付勢部材による引上げ力を解除して重力により下方に突出させるとともに前記ドアが開き姿勢にある場合に前記ドア巾木を前記引上げ力により没入させるドア巾木作動機構と、前記下巾木を前記突出姿勢から前記没入姿勢に移動させる動きを利用して前記ドア巾木作動機構の働きを制限し前記ドアが閉止姿勢にあるにも関わらず前記ドア巾木を没入姿勢に維持させるドア巾木動作制限機構と、を備えたものである可動間仕切壁。
【請求項３】
前記ドア巾木作動機構が、前記ドアの吊元側端面に突没可能に配された作動子と、この作動子の突没動作を前記ドア巾木の昇降動作に変換する動作変換部と、前記作動子を突出方向に付勢して前記ドア巾木を没入させるための前記引上げ力を惹起させる前記付勢部材とを具備してなり、前記ドアを閉める動作に連動して前記作動子がドア枠側に配された係止部材に押圧されて没入動作を行うことで前記付勢部材による引上げ力が消勢し前記ドア巾木が重力を利用して下方に突出するように構成されたものである請求項１又は２記載の可動間仕切壁。
【請求項４】
前記動作変換部が、前記付勢部材による引上げ力が消勢した際に前記ドア巾木を重力により下方に突出させて床面に着地させるための動作吸収手段を備えたものである請求項３記載の可動間仕切壁。
【請求項５】
前記ドアが、前記ドア枠に蝶持されたドア本体と、このドア本体の下縁部に突没可能に設けられた前記ドア巾木とを備えたものであり、
前記ドア巾木作動機構の動作変換部が、前記ドア本体に設けられたベースと、このベースに中間部を枢支させ一方の回動端を前記ドア巾木にそれぞれ枢着した対をなす平行リンク部材と、これらの平行リンク部材の他方の回動端に枢結され進退することにより前記平行リンク部材を回動させて前記ドア巾木を突没動作させる進退部材と、この進退部材に一方の回動端を枢着するとともに他方の回動端で前記作動子を保持した状態で前記ベースに枢支された天秤部材とを備えたものであり、
前記進退部材と前記平行リンク部材との間に前記動作吸収手段が設けられている請求項４記載の可動間仕切壁。
【請求項６】
前記動作吸収手段が、前記平行リンク部材に設けられたルーズ孔と、前記進退部材に設けられ前記ルーズ孔に遊動可能に係合するピンとを備えたものである請求項５記載の可動間仕切壁。
【請求項７】
前記ドア巾木作動制限機構が、前記ドア枠の一方の竪枠材に設けられ前記ドアを閉じた状態で前記ドア巾木作動機構の作動子が侵入し得る窓と、この窓を閉塞して前記作動子の侵入を係止する閉止位置に配された前記係止部材と、この係止部材を前記下巾木が没入する動作を利用して前記作動子の前記窓への侵入を許容する開放位置にまで退避させる係止部材駆動部とを備えたものである請求項３、４、５又は６記載の可動間仕切壁。
【請求項８】
前記ドア付きパネルが、操作部に加えられる操作に応じて昇降桿を昇降させ前記下巾木を突出姿勢から没入姿勢までの間で突没動作させる下巾木作動機構を備えたものであり、
前記係止部材駆動部が、基端部を前記昇降桿に支持させた昇降体を備えたものであり、この昇降体の先端部に前記係止部材が設けられている請求項７記載の可動間仕切壁。
【請求項９】
前記係止部材が、前記閉止位置で前記窓を塞ぐための係止面を有した係止部材本体と、この係止部材本体の作動方向一端側に延設され前記開放位置から閉止位置に移動する際に前記窓に侵入している前記作動子を案内して前記係止面上に導くためのカム面を有した延出部とを備えたものである請求項７又は８記載の可動間仕切壁。
【発明の詳細な説明】
【技術分野】
【０００１】
本発明は、オフィス等で使用される可動間仕切壁に関する。
【背景技術】
【０００２】
従来、この種の可動間仕切壁として、例えば、建築物の天井に取り付けられた天井レールと、この天井レールに移動可能に懸吊支持された複数枚のパネルとを具備してなり、前記各パネルを他のパネル又は建築壁等に衝合させてそれらのパネルを壁状に隣接配置することができるように構成されたものが知られている。
【０００３】
ところで、この種の可動間仕切壁にあっては、前記パネルの少なくとも一部を、ドア付きパネルにしたものも存在する（例えば、特許文献１を参照）。
【０００４】
しかして、かかる可動間仕切壁は、下縁部に下巾木を備えたドア付きパネルを天井レールに沿って移動可能に設けてなり、前記ドア付きパネルが所定の設置位置に達した状態で前記下巾木を床から離間した没入姿勢から突出姿勢にまで作動させ得るように構成されている。
【０００５】
かかるドア付きパネルは、通路を形成する開口部にドア枠を配したパネル本体と、このパネル本体のドア枠内に開閉可能に配設されたドアとを備えたものであり、前記ドアは、前記ドア枠に蝶持されたドア本体と、このドア本体の下縁部に突没可能に設けられたドア巾木とを具備してなる。そして、前記ドアを閉めた状態では前記ドア巾木が下方に突出して床に押し付けられ、ドアを開けると前記ドア巾木が上方に没入してドア本体と床との間に隙間が形成されるようになっている。
【０００６】
しかして、かかるドアには、その開閉動作に連動させて前記ドア巾木を床面に向かって突没させるためのドア巾木作動機構が内蔵されているが、従来のドア巾木作動機構は、床の不陸に対応させるため、前記ドア巾木を複数の動作吸収用ばねを介して床面に押し付けるようになっている。
【０００７】
そのため、部品点数を削減することが難しいだけでなく、ドア巾木作動機構の各構成部品に前記動作吸収用ばねの反発力に抗するだけの強度が必要となる。また、前記ドア巾木を床面に弾性的に押し付けるための力は、ドアを閉める操作力に起因して発現するものであるため、ドアの開閉操作に悪影響が及ぶこともある。
【先行技術文献】
【特許文献】
【０００８】
【特許文献１】特許第５１５４２５７号公報
【発明の概要】
【発明が解決しようとする課題】
【０００９】
本発明は、以上説明した課題を解決することができる可動間仕切壁を提供することを目的としている。
【課題を解決するための手段】
【００１０】
すなわち、本発明は次の構成をなしている。
【００１１】
請求項１に記載の可動間仕切壁は、下縁部に下巾木を備えたドア付きパネルを天井レールに沿って移動可能に設けてなり、前記ドア付きパネルが所定の設置位置に達した状態で前記下巾木を床から離間した没入姿勢から床に接する突出姿勢にまで作動させ得るように構成された可動間仕切壁であって、前記ドア付きパネルが、ドア枠を有するパネル本体と、このパネル本体のドア枠内に開閉可能に配され下縁部にドア巾木を有するドアと、このドアが閉止姿勢にある場合に前記ドア巾木を付勢部材による引上げ力を解除して重力により下方に突出させるとともに前記ドアが開き姿勢にある場合に前記ドア巾木を前記引上げ力により没入させるドア巾木作動機構とを備えたものである。
【００１２】
請求項２に記載の可動間仕切壁は、下縁部に下巾木を備えたドア付きパネルを天井レールに沿って移動可能に設けてなり、前記ドア付きパネルが所定の設置位置に達した状態で前記下巾木を床から離間した没入姿勢から床に接する突出姿勢にまで作動させ得るように構成された可動間仕切壁であって、前記ドア付きパネルが、ドア枠を有するパネル本体と、このパネル本体のドア枠内に開閉可能に配され下縁部にドア巾木を有するドアと、このドアが閉止姿勢にある場合に前記ドア巾木を付勢部材による引上げ力を解除して重力により下方に突出させるとともに前記ドアが開き姿勢にある場合に前記ドア巾木を前記引上げ力により没入させるドア巾木作動機構と、前記下巾木を前記突出姿勢から前記没入姿勢に移動させる動きを利用して前記ドア巾木作動機構の働きを制限し前記ドアが閉止姿勢にあるにも関わらず前記ドア巾木を没入姿勢に維持させるドア巾木動作制限機構と、を備えたものである。
【００１３】
請求項３に記載の可動間仕切壁は、請求項１又は２に係る構成において、前記ドア巾木作動機構が、前記ドアの吊元側端面に突没可能に配された作動子と、この作動子の突没動作を前記ドア巾木の昇降動作に変換する動作変換部と、前記作動子を突出方向に付勢して前記ドア巾木を没入させるための前記引上げ力を惹起させる前記付勢部材とを具備してなり、前記ドアを閉める動作に連動して前記作動子がドア枠側に配された係止部材に押圧されて没入動作を行うことで前記付勢部材による引上げ力が消勢し前記ドア巾木が重力を利用して下方に突出するように構成されたものである。
【００１４】
請求項４に記載の可動間仕切壁は、請求項３に係る構成において、前記動作変換部が、前記付勢部材による引上げ力が消勢した際に前記ドア巾木を重力により下方に突出させて床面に着地させるための動作吸収手段を備えたものである。
【００１５】
請求項５に記載の可動間仕切壁は、請求項４に係る構成において、前記ドアが、前記ドア枠に蝶持されたドア本体と、このドア本体の下縁部に突没可能に設けられた前記ドア巾木とを備えたものであり、前記ドア巾木作動機構の動作変換部が、前記ドア本体に設けられたベースと、このベースに中間部を枢支させ一方の回動端を前記ドア巾木にそれぞれ枢着した対をなす平行リンク部材と、これらの平行リンク部材の他方の回動端に枢結され進退することにより前記平行リンク部材を回動させて前記ドア巾木を突没動作させる進退部材と、この進退部材に一方の回動端を枢着するとともに他方の回動端で前記作動子を保持した状態で前記ベースに枢支された天秤部材とを備えたものであり、前記進退部材と前記平行リンク部材との間に前記動作吸収手段が設けられている。
【００１６】
請求項６に記載の可動間仕切壁は、請求項５に係る構成において、前記動作吸収手段が、前記平行リンク部材に設けられたルーズ孔と、前記進退部材に設けられ前記ルーズ孔に遊動可能に係合するピンとを備えたものである
請求項７に記載の可動間仕切壁は、請求項３、４、５又は６に係る構成において、前記ドア巾木作動制限機構が、前記ドア枠の一方の竪枠材に設けられ前記ドアを閉じた状態で前記ドア巾木作動機構の作動子が侵入し得る窓と、この窓を閉塞して前記作動子の侵入を係止する閉止位置に配された前記係止部材と、この係止部材を前記下巾木が没入する動作を利用して前記作動子の前記窓への侵入を許容する開放位置にまで退避させる係止部材駆動部とを備えたものである。
【００１７】
請求項８に記載の可動間仕切壁は、請求項７に係る構成において、前記ドア付きパネルが、操作部に加えられる操作に応じて昇降桿を昇降させ前記下巾木を突出姿勢から没入姿勢までの間で突没動作させる下巾木作動機構を備えたものであり、前記係止部材駆動部が、基端部を前記昇降桿に支持させた昇降体を備えたものであり、この昇降体の先端部に前記係止部材が設けられているものである。
【００１８】
請求項９に記載の可動間仕切壁は、請求項７又は８に係る構成において、前記係止部材が、前記閉止位置で前記窓を塞ぐための係止面を有した係止部材本体と、この係止部材本体の作動方向一端側に延設され前記開放位置から閉止位置に移動する際に前記窓に侵入している前記作動子を案内して前記係止面上に導くためのカム面を有した延出部とを備えたものである。
【発明の効果】
【００１９】
本発明によれば、ドア付きパネルを有する可動間仕切壁において、部品点数の削減を図りつつ、また、ドア巾木作動機構の各構成部品に強度が高いものを採用することなく、さらにドアの開閉操作に影響を及ぼすことなく、床の不陸に対応させることができる。
【図面の簡単な説明】
【００２０】
【図１】本発明の一実施形態を示す斜視図。
【図２】同実施形態を示す斜視図。
【図３】同実施形態を示す正面図。
【図４】同実施形態を示す正面図。
【図５】同実施形態に係るドア付きパネルを一部破断して示す正面図。
【図６】同実施形態に係る可動間仕切壁のドア付きパネルを示す分解斜視図。
【図７】図６におけるＡ−Ａ断面図。
【図８】同実施形態に係るドア巾木作動機構を示す斜視図。
【図９】同実施形態に係るドア付きパネルの正断面図。
【図１０】同実施形態に係るドア付きパネルの正断面図。
【図１１】図１０におけるＢ−Ｂ断面図。
【図１２】同実施形態を示す作用説明図。
【図１３】同実施形態を示す作用説明図。
【図１４】同実施形態を示す作用説明図。
【図１５】同実施形態に係る下巾木作動機構の操作部を示す正面図。
【図１６】同実施形態に係るドア巾木作動機構を示す斜視図。
【図１７】同実施形態を示す作用説明図。
【図１８】同実施形態を示す作用説明図。
【図１９】同実施形態を示す作用説明図。
【図２０】同実施形態を示す作用説明図。
【図２１】同実施形態を示す作用説明図。
【発明を実施するための形態】
【００２１】
以下、本発明の一実施形態を、図１〜図２１を参照して説明する。
【００２２】
この実施形態は、本発明を、オフィス等で使用される可動間仕切壁Ｗに適用したものである。
【００２３】
この可動間仕切壁Ｗは、図１〜図４に示すように、建築物の天井に取り付けられた天井レール１ａ〜１ｃと、一方の壁に設けられた前側の壁見切り材２Ａと、前記一方の壁に対向する他方の壁に設けられた後側の壁見切り材２Ｂと、前記天井レール１ａ〜１ｃに移動可能に懸吊支持された複数枚のパネル３、４、５とを具備してなり、前記各パネル３、４、５を他のパネル３、４、５又は前記壁見切り材２Ａ、２Ｂに当接させてそれらのパネル３、４、５を壁状に隣接配置することができるように構成されたものである。この実施形態では、１枚のドア付きパネル３と、２枚のスタンダードパネル４と、１枚のテレスコープパネル５とを天井に配されたメインの天井レール１ａに懸吊支持させた状態でオフィス空間を仕切ることができるようにしたものであるが、ドア付きパネル３や、スタンダードパネル４の枚数は任意である。
【００２４】
この実施形態においては、図１及び図２に示すように、前記メインの天井レール１ａの途中に分岐路を形成するための中間の天井レール１ｂが交差状態で接続されており、この中間の天井レール１ｂには、前記ドア付きパネル３、前記スタンダードパネル４及び前記テレスコープパネル５を収納しておくための２本の平行な収納用の天井レール１ｃが交差状態で接続されている。不使用時には、前記ドア付きパネル３、スタンダードパネル４及びテレスコープパネル５が前記収納用の天井レール１ｃに懸吊支持された状態で厚み方向に隣接させて収納されている。使用時には、図１及び図２に示すように、収納されているドア付きパネル３及びスタンダードパネル４を順次中間の天井レール１ｂを通過させてメインの天井レール１ａの下に引き出し、先頭のドア付きパネル３を前記前側の壁見切り材２Ａに衝合させるとともに、その先頭のドア付きパネル３の後端に次に続くスタンダードパネル４の前端を衝合させ、同様な手順で、全てのドア付きパネル３及びスタンダードパネル４をメインの天井レール１ａの下に配置する。その状態で、テレスコープパネル５を中間の天井レール１ｂを通してメインの天井レール１ａの下に引き出し、そのテレスコープパネル５を幅方向に拡張することにより、間仕切操作が終了するようになっている。
【００２５】
前記天井レール１ａ〜１ｃは、図示しない複数の吊り下げ具を介して建築梁材等に支持されている。なお、前記吊り下げ具及びこの天井レール１ａ〜１ｃの具体的な構成は通常のものであるため説明を省略する。
【００２６】
次いで、前記ドア付きパネル３の構造を図５〜図２１を参照して説明する。
【００２７】
図５は、前記ドア付きパネル３の正面図であり、後述する面板を省略するとともにさらに一部を破断して内部を示している。また、この図５では、ドア付きパネルの上下方向中間領域を省略して示している。図６は、同パネル３のパネル本体を分解して示す斜視図であり、面板及びドアは省略してある。図７は、図６におけるＡ−Ａ線に沿った平断面図である。図８は、同パネル３のドア巾木作動機構を示す斜視図である。図9は、同パネル３のドア巾木を没入姿勢（Ｂ）とした状態を示す正断面図である。図１０は、同パネル３のドア巾木を突出姿勢（Ｔ）とした状態を示す正断面図である。図１１は、図１０におけるＢ−Ｂ線に沿った側断面図である。図１２〜図１４は、後述するワンタッチシール機構の作動を説明する説明図である。図１５は、下巾木作動機構の操作部を示す正面図である。図１６は、ドア巾木作動機構を示す斜視図である。図１７は、ドア巾木を没入させた状態におけるドア巾木作動機構の状態を示す図である。図１８は、ドア巾木を突出させた状態におけるドア巾木作動機構の状態を示す図である。図１９は、後述する掛止部材を掛止位置（ｋ）に配した状態を示す図である。図２０は、後述する掛止部材が思案点にある状態を示す図である。図２１は、後述する掛止部材を待機位置（ｔ）に配した状態を示す図である。
【００２８】
前記ドア付きパネル３は、図５〜図１１に示すように、下縁部に下巾木１４を備えているとともに天井レール１ａ〜１ｃに沿って移動可能に設けられており、このドア付きパネル３が所定の設置位置に達した状態で前記下巾木１４を床Ｆから離間した没入姿勢（Ｂ）から突出姿勢（Ｔ）にまで作動させ得るように構成されている。
【００２９】
すなわち、このドア付きパネル３は、図５〜図１１に示すように、ドア枠２１を有するパネル本体１１と、このパネル本体１１の上部に突没可能に設けられた上巾木１２と、この上巾木１２を突没動作させるワンタッチシール機構１３と、前記パネル本体１１の下部に突没可能に設けられた対をなす下巾木１４と、操作部２３に加えられる操作力に応じて昇降桿を昇降させ前記下巾木を突出姿勢（Ｔ）から没入姿勢（Ｂ）までの間で突没動作させる下巾木作動機構１５と、前記パネル本体１１のドア枠２１内に開閉可能に配され下縁部にドア巾木２５を有するドア１６と、このドア１６が閉止姿勢にある場合に前記ドア巾木２５を後述する付勢部材１３１による引上げ力を解除して重力により下方に突出させるとともに前記ドアが開き姿勢にある場合に前記ドア巾木２５を前記引上げ力により没入させるドア巾木作動機構１７と、前記下巾木１４を前記突出姿勢（Ｔ）から前記没入姿勢（Ｂ）に移動させる動きを利用して前記ドア巾木作動機構１７の働きを制限し前記ドア１６が閉止姿勢にあるにも関わらず前記ドア巾木２５を没入姿勢（Ｂ）に維持させるドア巾木動作制限機構１８と、前記下巾木１４が没入姿勢（Ｂ）にある場合に掛止位置（ｋ）に配され前記ドア１６と前記ドア枠２１とを離間しないように連結する掛止部材１９と、この掛止部材１９を前記下巾木１４が突出姿勢（Ｔ）から没入姿勢（Ｂ）に引き上げられる動きを利用して待機位置（ｔ）から前記掛止位置（ｋ）にまで作動させる掛止部材駆動機構２０とを備えたものである。
【００３０】
前記パネル本体１１は、前記図５〜図７及び図９〜図１１に示すように、下方に開放された通路用の開口部２７を有しこの開口部２７の両側に前記ドア枠２１を構成する竪枠材２９を配したものである。詳述すれば、前記パネル本体１１は、一対の懸吊支持部３０を介して前記天井レール１ａ〜１ｃに支持される枠体３１と、この枠体３１の両側に装着された外装板３３とを備えている。前記枠体は、移動方向前端側及び後端側にそれぞれ配された前後の外側竪フレーム３５、３７と、これら外側竪フレーム３５、３７の上端部間をそれぞれ連結する上横フレーム３９と、前記両外側竪フレーム３５、３７の内側にそれぞれ添設された平断面コ字形をなす第１の内側竪フレーム４１と、この第１の内側竪フレーム４１の内側にそれぞれ添設された第２の内側竪フレーム４３と、第２の内側竪フレーム間に介設された前記ドア枠２１と、第２の内側竪フレームの下端部に架設された下横フレーム４５とを具備してなるもので、前記上横フレーム３９に前記上巾木１２が突没可能に収容されているとともに、前記下横フレーム４５内に前記下巾木１４が突没可能に配されている。
【００３１】
前記前の外側竪フレーム３５は、前記図５〜図７に示すように、角柱パイプ状のもので、外壁４７におけるパネル厚み方向中央部分に前方に向かって漸次開口幅が拡大する平面視台形状をなす凹溝４７ａを有している。この凹溝４７ａは、設置状態において、前記前側の壁見切り材２Ａに設けられた突条２Ａ１が係合するようになっている。
【００３２】
前記後の外側竪フレーム３７も、前記図５〜図７に示すように、角柱パイプ状のもので、外壁４９におけるパネル厚み方向中央部分に後方に向かって漸次幅狭となる平面視台形状の突条４９ａを有している。間仕切としての使用時には、前記突条４９ａと後方に配されたパネルの前の竪フレームに形成された前記凹溝とが係合するようになっている。
【００３３】
前記上横フレーム３９は、前記図５、図６及び図９〜図１１に示すように、第１の接続用ブラケット４８を介して前記前後の外側竪フレーム３５、３７の上下端部間をそれぞれ連結する横フレーム本体５１と、この横フレーム本体５１の上面側に添設された巾木収納部材５３とを備えている。前記横フレーム本体５１は、内壁５５と、この内壁５５の両側縁から上下方向に延出する側壁５７と、これら側壁５７の延出端から相寄る方向に延出する外壁５９とを備えたチャネル状のものである。前記巾木収納部材５３は、前記横フレーム本体５１の外壁５９に添設された内壁６１と、この内壁６１の両側縁から上下方向に延出する側壁６３とを備えている。
【００３４】
前記第１の内側竪フレーム４１は、前記図５〜図７及び図９〜図１１に示すように、外方に開放された平断面視コ字形をなすもので、第１の接続用ブラケット４８を介して前記外側竪フレーム３５、３７に結合されている。
【００３５】
前記第２の内側竪フレーム４３は、前記図５〜図７及び図９〜図１１に示すように、内方に開口したチャンネル状のもので、前記第１の内側竪フレーム４１の内壁に止着されている。前記第１及び第２の内側竪フレーム４１、４３の上端は、前記上横フレーム４５の下端に第２の接続用ブラケット６５を介して接合されている。
【００３６】
前記ドア枠２１は、前記図５、図６及び図９〜図１１に示すように、前記第２の内側竪フレームの内縁側にそれぞれ外嵌させた竪枠材２９と、これら竪枠材２９の上端間に架設された上枠材６７とを具備してなるもので、その内側に形成された開口部にドア１６が開閉可能に配設されている。
【００３７】
前記下横フレーム４５は、前記図５、図６及び図９〜図１１に示すように、下方に開放された断面視コ字形をなすもので、その上面に固設された第３の接続用ブラケット６９を介して前記第１の内側竪フレーム４１に連結されている。
【００３８】
前記上巾木１２は、前記図６及び図９〜図１１に示すように、前記横フレーム本体４１に向けて開口するチャネル状をなす巾木本体７１と、この巾木本体７１の前後両端部を閉塞するキャップ７３とを備えている。前記巾木本体７１は、外壁７５と、この外壁７５の両側縁から上下方向に延出する側壁７７とを備えたもので、前記外壁７５のパネル厚み方向両端縁に天井レールに密接可能な密接ゴム１７を取り付けてある。また、前記側壁７７の延出端近傍には、前記上横フレーム３９の巾木収納部材５３の内面に摺接するタイトシールゴム８１を取り付けてあり、前記巾木７が前後方向及び左右方向に移動しても、常時このタイトシールゴム８１が前記巾木収納部材５３に摺接するようになっている。
【００３９】
前記ワンタッチシール機構１３は、前記図９〜図１４に示すように、前記上横フレーム３９の横フレーム本体５１の内壁５５にそれぞれ設けられた固定側のリンクベース８３と、前記上巾木１２に設けられた可動側のリンクベース８５と、前記固定側のリンクベース８３に基端側を基端ピン８７を介して支持させるとともに前記可動側のリンクベース８５に先端部を先端ピン８９を介して枢支させているリンクアーム９１と、前記リンクベース８３、８５間に設けられた付勢手段であるねじりコイルばね９３とを備えたものである。前記固定側のリンクベース８３は前記横フレーム本体５１の内壁５５に止着されこの横フレーム本体５１内に配されている。前記可動側のリンクベース８５は、前記上巾木１２に止着されこの上巾木１２内に配されている。前記リンクアーム９１は、基端部に長孔９１ａを有しこの長孔に前記基端ピン８７を回転及び摺動可能に挿通させている。前記基端ピン８７の両端は、前記固定側のリンクベース８３に支持されている。また、前記リンクアーム９１の先端部は、前記先端ピン８９を介して前記可動側のリンクベース８５に回動のみを許容された状態で接続されている。前記ねじりコイルばね９３は、一端部を前記基端ピン８７に接続しているとともに、他端部を前記可動側のリンクベース８５に設けられた作用ピン９５に接続している。前記作用ピン９５は、前記上巾木１２の動きに応じて移動し、前記ねじりコイルばね９３の付勢力の方向を変化させるようになっている。すなわち、図１２に示すように、作用ピン９５が前記先端ピン８９の軸心と前記基端ピン８７の軸心とを結ぶ仮想面Ｐ１に対して前側に変位している状態では、ねじりコイルばね９３の付勢力は前記上巾木１２をパネル本体１１に対して前方に押し出すように働く。そして、上巾木１２が前側の壁見切り材２Ａに押されて後方すなわちパネル本体１１に没入する方向に移動し、図１３に示すように前記作用ピン９５の軸心が前記仮想面Ｐ１上に達した状態で、ねじりコイルばね９３によって上巾木１２が前後いずれにも付勢されない状態となる。このような思案点を超えて図１４に示すように作用ピン９５が前記仮想面Ｐ１に対して後側に変位すると、ねじりコイルばね９３の付勢力は前記上巾木１２をパネル本体１１に対して後方に引きつけるように働くことになり、前記上巾木１２は没入状態を維持するようになっている。この没入状態においては、前記図１４に示すように、前記上巾木１２は、前記ねじりコイルばね９３の付勢力により天井レール１ａ〜１ｃに押し付けられることになる。すなわち、ドア付きパネル３を前方に移動させて前側の壁見切り材２Ａに衝合させるだけでワンタッチで上巾木１２によるシールが完了する。なお、かかる設置状態から解除状態に戻すには、パネル本体１１を後方に牽引する操作を加えればよい。すなわち、パネル本体１１に後方への操作力が加わると、摩擦力により天井レール１ａ〜１ｃに拘束されている上巾木１２がパネル本体１１に対して相対的に前方に付勢されることになり、以上説明した動作と逆の動作を経て上巾木１２がパネル本体１１から前方に突出した解除状態に自動的に戻る。
【００４０】
なお、符号１７９で示される部材は、ドア付きパネル３が前側の壁見切り材２Ａに衝合する際に生じる衝撃を緩和するためのアブソーバである。
【００４１】
また、このドア付きパネル３の設置の際には、前記ワンタッチシール機構１３の作動に先立ち、床Ｆに設けた図示しない位置決め用の目印のパネル厚み方向位置と下巾木１４に設けた図示しない位置決め用の目印のパネル厚み方向位置とを合わせることによりこのドア付きパネル３のパネル厚み方向位置を決定する操作を行うようにしている。
【００４２】
前記下巾木１４は、前記図５、図６及び図９〜図１１に示すように、前記下横フレームに向けて開口するチャネル状をなす巾木本体９７と、この巾木本体９７の前後両端部を閉塞するキャップ９９とを備えている。前記巾木本体９７は、外壁１０１と、この外壁１０１の両側縁から上下方向に延出する側壁１０３とを備えたもので、前記外壁１０１のパネル厚み方向両端縁に床に密接可能な密接ゴム１０５を取り付けてある。また、前記側壁１０３の延出端近傍には、外装板３３の内面に摺接するタイトシールゴム１０７を取り付けてあり、前記下巾木１４が前後方向及び左右方向に移動しても、常時このタイトシールゴム１０７が外装板３３に摺接するようになっている。
【００４３】
前記下巾木作動機構１５は、前記図８及び図１５に示すように、また前述したように、操作部２３に加えられる操作力に応じて昇降桿１０９、１１３を昇降させ前記下巾木１４を突出姿勢（Ｔ）から没入姿勢（Ｂ）までの間で突没動作させるものである。
【００４４】
前記操作部２３は、前記図８及び図１５に示すように、いわゆるフランス落としと称される構成の操作部本体１１０と、この操作部本体１１０が有する上下の出力端１１０ａの動きを増幅して前記昇降桿１０９、１１３に伝達するリンク部材１１２とを備えたものである。前記操作部本体１１０は、上端部及び下端部にそれぞれ出力端１１０ａを有するとともに、外側端側に操作レバー１１４を備えたもので、その操作レバー１１４を第１保持位置から第２保持位置まで回動操作することにより、前記出力端１１０ａがそれぞれ一定のストロークＸだけ相反する方向に突出するようになっている。内部構造については通常のものであるため、詳細な説明は省略する。また、この操作部本体１１０は、前記第１及び第２の内側竪フレーム４１、４３内に配設された操作部収容フレーム１１６内に収容されており、この操作部収容フレーム１１６の上端近傍部及び下端近傍部に前記リンク部材１１２の基端部が軸着されており、前記リンク部材１１２の中間部分に前記操作部本体１１０の出力端１１０ａに取り付けられた接続部材１１８の先端が回動及びスライド可能に接続されている。前記リンク部材１１２の先端には、前記昇降桿１０９、１１３の基端が回動及びスライド可能に接続されている。この実施形態においては、前記図１５に示すように、前記操作部本体１１０の出力端１１０ａの動作ストロークＸを前記リンク部材１１２により二倍に拡大して前記昇降桿１０９、１１３に伝達するように設定されている。具体的には、例えば、前記出力端１１０ａの動作ストロークがそれぞれ２５ｍｍである場合に、前記昇降桿１０９、１１３の昇降ストロークが５０ｍｍとなるように設定されている。以上説明した操作部は、ドア付きパネル３の後端面側から前記操作レバー１１４を操作しうる位置に配されている。
【００４５】
しかして前記下巾木作動機構１５は、前記図５、図８及び図１５に示すように、前記操作部２３と、この操作部２３の下側のリンク部材１１２の先端に接続された第１の昇降桿１０９と、前記操作部２３の上側のリンク部材１１２の先端に接続された昇降連結桿１１１と、前側の前記第１の内側竪フレーム内４１に配された第２の昇降桿１１３と、この第２の昇降桿１１３の上端と前記昇降連結桿１１１の上端とを接続する天秤部材１１５と、前記第１の昇降桿１０９の下端部と後側の前記下巾木１４とを変位を弾性的に吸収しうるように接続する第１の接続部１１７と、前記第２の昇降桿１１３の下端部と前側の前記下巾木１４とを変位を弾性的に吸収しうるように接続する第２の接続部１１９とを備えている。前記接続部１１７、１１９は、前記下巾木１４の底壁に立設され前記昇降桿１０９、１１３に上下摺動可能に外嵌する接続桿１２１と、この接続桿１２１を前記昇降桿１０９、１１３に一定のストロークだけ上下遊動し得るようにして接続する図示しない接続具と、前記接続具を前記昇降桿１０９、１１３に対して下方に弾性付勢する図示しないばねとを備えたものである。なお、前記天秤部材１１５は、その中央部分を前記ドア枠２１の上枠材６７に固定した支点部材１２３に軸支させているものである。
【００４６】
以上説明した下巾木作動機構１５によれば、操作部２３の操作レバー１１４を図１５の（ａ）に示すような第１保持位置に保持している状態では、前記第１の昇降桿１０９が上死点まで引き上げられ、後側の下巾木１４は床面から離れた没入姿勢（Ｂ）に保持される。また、この状態では前記昇降連結桿１１１が下死点まで引き下げられ、この昇降連結桿１１１に前記天秤部材１１５を介して連結された前記第２の昇降桿１１３が上死点まで引き上げられている。そして、前側の下巾木１４も床面から離れた没入姿勢（Ｂ）に保持される。この状態から前記操作レバー２３を図１５の（ｂ）に示すような第２保持位置まで回動操作すると、前記第１の昇降桿１０９が降下し、後側の下巾木１４は床面に押し付けられた突出姿勢（Ｔ）に保持される。また、このとき前記昇降連結桿１１１が上昇し、この昇降連結桿１１１に前記天秤部材１１５を介して連結された前記第２の昇降桿１１３は降下するので、前側の下巾木１４も床面Ｆに押し付けられた突出姿勢（Ｔ）に保持される。なお、前記第１及び第２の昇降桿１０９、１１３は、前記操作部２３の出力ストロークだけ降下するが、前記下巾木１４は、床面Ｆに当接した段階でその降下を止め、その後は前記ばねの付勢力により床面Ｆに押し付けられた状態となる。前記操作レバー１１４を前記第２の保持位置から第１の保持位置まで戻すと、以上説明した動作と逆の動作が営まれ、前記両下巾木１４が元の没入姿勢（Ｂ）に復帰する。
【００４７】
前記ドア１６は、前記図５、図９及び図１０に示すように、前記ドア枠２１の一方の竪枠材２９に吊元を蝶番１２４を介して蝶持させたもので、前記開口部３３に開閉可能に配されている。すなわち、このドア１６は、前記ドア枠２１に蝶持されたドア本体１２５と、このドア本体１２５の下縁部に突没可能に設けられた前記ドア巾木２５とを備えたものである。
【００４８】
前記ドア本体１２５は、通常のドアノブ及び施錠装置を備えているだけでなく、吊元側の端面に前記ドア巾木作動機構１７及び前記ドア巾木動作制限機構１８に関連した作動子突没用の開口を有するとともに、反吊元側の端面に前記掛止部材１９を掛けるための掛止部を有している。そして、前記一方の竪枠材２９の前記開口に対応する位置に後述する係止部材１５５により塞がれた窓２９ａが形成されているとともに、前記掛止部に対応する部位に前記掛止部材１９が配されている。
【００４９】
前記ドア巾木作動機構１７は、前記図５及び図１６〜図１８に示すように、前記ドア１６の吊元側端面１６ａに突没可能に配された作動子１２７と、この作動子１２７の突没動作を前記ドア巾木２５の昇降動作に変換する動作変換部１２９と、前記作動子１２７を突出方向に付勢して前記ドア巾木２５を没入させるための前記引上げ力を惹起させる前記付勢部材１３１とを具備してなり、前記ドア１６を閉める動作に連動して前記作動子１２７がドア枠２１側に配された係止部材１５５に押圧されて没入動作を行うことで前記ドア巾木２５が重力を利用して下方に突出するように構成されたものである。
【００５０】
前記ドア巾木作動機構１７の動作変換部１２９は、前記図９、図１０及び図１６〜図１８に示すように、前記ドア本体１２５に設けられたベース１３３と、このベース１３３に中間部１３５ａを枢支させ一方の回動端１３５ｂを前記ドア巾木２５にそれぞれ枢着した対をなす平行リンク部材１３５と、これらの平行リンク部材１３５の他方の回動端１３５ｃに枢結され進退することにより前記平行リンク部材１３５を回動させて前記ドア巾木２５を突没動作させる進退部材１３７と、この進退部材１３７に一方の回動端１３９ａを枢着するとともに他方の回動端１３９ｂで前記作動子１２７を付勢すべく前記ベース１３３に枢支された天秤部材１３９と、前記天秤部材１３９と前記作動子１２７との間に介在する作動子保持部材１４１と、前記付勢部材１３１による引上げ力が消勢した際に前記ドア巾木２５を重力により下方に突出させて床面Ｆに着地させるための動作吸収手段１４２とを備えたものである。
【００５１】
前記進退部材１３７は、前記図５及び図１６〜図１８に示すように、棒状のもので、軸心を水平にした状態で前記ベース１３３に設けられた保持部１４３にスライド可能に保持されている。前記進退部材１３７の一端は前記天秤部材１３９の前記一方の回動端１３９ａに枢着されており、前記進退部材１３７の他端には鍔部１４５が設けられている。
【００５２】
前記天秤部材１３９は、前記図５及び図１６〜図１８に示すように、軸１４７を介して中間部を前記ベース１３３に枢着されたもので、一方の回動端１３９ａが前記進退部材１３７に接続されているとともに、他方の回動端１３９ｂを前記作動子保持部材１４１に接続している。
【００５３】
前記作動子保持部材１４１は、前記図５及び図１６〜図１８に示すように、ドア１６の端面と平行な端壁１４９と、この端壁１４９の両側縁から内方に延出させた側壁１５１とを備えた平面視コ字形のもので、前記側壁１５１に貫通させたピン軸１５３を介して前記ベース１３３にスライド可能に保持されている。前記端壁１４９には、前記作動子１２７が突設されている。
【００５４】
前記動作吸収手段１４２は、前記進退部材１３７と前記平行リンク部材１３５との間に設けられている。より具体的には、この動作吸収手段１４２は、前記平行リンク部材１３５の前記他方の回動端１３５ｃに設けられたルーズ孔１４４と、前記進退部材１３７に設けられ前記ルーズ孔１４４に遊動可能に係合するピン１４６とを備えたものである。
【００５５】
前記作動子１２７は、前記図５及び図１６〜図１８に示すように、前記作動子保持部材１４１の端壁１４９に固定されたねじ軸１２７ａと、このねじ軸１２７ａに螺合進退可能に装着された作動子本体１２７ｂとを備えたもので、前記作動子保持部材１４１の進退に伴って前記作動子本体１２７ｂの先端部がドア１６の吊元側端面１６ａから外方に突没し得るようになっている。なお、前記作動子保持部材１４１は、前記ピン軸１５３の１つを介して前記天秤部材１３９の他端に接続されている。
【００５６】
前記付勢部材１３１は、前記図５及び図１６〜図１８に示すように、この進退部材１３７に巻装した状態で前記鍔部１４５と前記ベース１３３に設けられたリテーナたる前記保持部１４３との間に介在させた圧縮コイルタイプのばねである。この付勢部材１３１は、前記ドア巾木２５を没入させるとともに前記作動子１２７を突出させる方向に、前記進退部材１３７を前記ベース１３３に対して弾性付勢する。
【００５７】
ここで、ドア１６の開閉に対応した前記ドア巾木２５の動きを説明する。設置状態では、ドア枠２１の竪枠材２９に設けられた窓２９ａが係止部材１５５により塞がれている。そのため、ドア１６を閉めてドア１６の吊元側端面１６ａを前記竪枠材２９に最接近させると、その閉じる途上で前記作動子１２７が前記係止部材１５５に当接しこの作動子１２７が没入方向に押圧される。その結果、天秤部材１３９が図１８における反時計回り方向に回動し、進退部材１３７が付勢部材１３１の付勢力に抗して図中右方向に移動する。その動きが平行リンク部材１３５に伝達され、前記ドア巾木２５が没入姿勢（Ｂ）から重力を利用して床Ｆに接する突出姿勢（Ｔ）まで降下する。詳述すれば、進退部材１３７が付勢部材１３１の付勢力に抗して図１８における右方向に移動している際には、付勢部材１３１によりドア巾木２５を引き上げる付勢力が消勢しているので、ドア巾木２５は重力により床Ｆに向けて前記突出姿勢（Ｔ）まで移動する。ドア巾木２５に接続された前記平行リンク部材１３５は、前記一方の回動端１３５ｂがドア巾木２５にかかる重力に由来する力の伝達を受けることによりドア巾木２５が前記突出姿勢（Ｔ）に達するまでは前記平行リンク部材１３５は図中における時計回り方向に回動する。このとき、前記平行リンク部材１３５の他方の回動端１３５ｃは、前記進退部材１３７に設けたピン１４６と係わり合った状態を保ちつつ図１８における右方向に移動する。前記ドア巾木２５が床Ｆに接した後に、前記進退部材１３７がさらに図中右方向に移動すると、この進退部材１３７に設けた前記ピン１４６が前記ルーズ孔１４２中で遊動する。従って、ドア１６を閉じる際に前記進退部材１３７を図中右方向に移動させる動作は、前記ドア巾木２５が床Ｆに接した後は前記動作吸収手段１４２により吸収される。この状態からドア１６を開けると、ドア１６の吊元側端面１６ａが一方の竪枠材２９から離れて前記作動子１２７に対する反作用力が消えるため、前記付勢部材１３１の付勢力により前記進退部材１３７が図中左方向に移動するとともに、前記作動子１２７が突出することになる。その結果、前記ドア巾木２５は前記突出姿勢（Ｔ）から没入姿勢（Ｂ）まで引き上げられる。
【００５８】
以上説明した作動は、下巾木１４を突出姿勢（Ｔ）に降下させた設置状態における原則的な動きであるが、このドア付きパネル３を天井レール１ａ〜１ｃに沿って移動させるために前記下巾木１４を没入姿勢（Ｂ）に上昇させた場合には、前記ドア巾木動作制限機構１８の働きにより例外的な作動を行うようになっている。
【００５９】
このドア巾木作動制限機構１８は、前記図１７及び図１８に示すように、前記ドア枠２１の一方の竪枠材２９に設けられ前記ドア１６を閉じた状態で前記ドア巾木作動機構１７の作動子１２７が侵入し得る前記窓２９ａと、この窓２９ａを閉塞して前記作動子１２７の侵入を係止する閉止位置（Ｃ）に配された前記係止部材１５５と、この係止部材１４４を前記下巾木１４が没入する動作を利用して前記作動子１２７の前記窓２９ａへの侵入を許容する開放位置（Ｏ）にまで退避させる係止部材駆動部１５７とを備えたものである。
【００６０】
詳述すれば、前記係止部材１５５は、前記図１７及び図１８に示すように、前記閉止位置（Ｃ）で前記窓２９ａを塞ぐための係止面１６１を有した係止部材本体１５９と、この係止部材本体１５９の下端側に延設され前記開放位置（Ｏ）から閉止位置（Ｃ）に移動する際に前記窓２９ａに侵入している前記作動子１２７を案内して前記係止面１６１上に導くためのカム面１６５を有した延出部１６３とを備えたものである。そして、前記下巾木１４を突出姿勢（Ｔ）に保持した設置状態においては前記係止部材本体１５９の係止面１６１により前記窓２９ａが塞がれている。前記下巾木１４を没入姿勢（Ｂ）に上昇させた場合には、前記係止部材駆動部１５７の働きにより、前記係止部材本体１５９が窓２９ａを開放する位置に待機し、前記窓２９ａに前記作動子１２７が侵入できる状態となるようにしてある。
【００６１】
前記係止部材駆動部１５７は、前記図１７及び図１８に示すように、基端部を前記第１の昇降桿１０９に支持させた昇降体１６７を備えたものであり、この昇降体１６７の先端部に前記係止部材１５５が設けられている。そして前記昇降桿１０９が下死点に降下している状態では、前記係止部材１５５の係止面１６１により前記窓２９ａが閉塞され、前記昇降桿１０９が上死点に上昇した状態では、前記係止部材１５５の係止面１６１による前記窓２９ａの閉塞状態が解除され、前記作動子１２７が前記窓２９ａに侵入しうるようにしてある。なお、このように前記窓２９ａを開放した状態では係止部材１５５の延出部１６３が前記窓２９ａの奥に臨むようになっている。そのため、この状態から前記昇降桿１０９が降下して下巾木１４が突出姿勢（Ｔ）に移動させられる際には、前記窓２９ａに侵入している作動子１２７が前記延出部１６３のカム面１６５に案内されて徐々に没入動作を行い、前記昇降桿１０９が下死点に達した段階で前記窓２９ａが再び係止部材１５５の係止面１６１により閉塞されてドア巾木２５が突出姿勢（Ｔ）に降下するようになっている。
【００６２】
前記掛止部材１９は、前記図５〜図１１に示すように、前記パネル本体１１における他方すなわち前の竪枠材２９に配設され前記ドア１６に係合して該ドア１６の反吊元側が前記前の竪枠材２９から離れるのを抑止する掛止位置（ｋ）から前記ドア１６に係らない待機位置（ｔ）までの間で動作可能なものである。具体的には、前記掛止部材１９は、支軸１６９を介して前記パネル本体１１の前の竪枠材２９側に枢支され一方の回動端に前記ドア１６の反吊元側に設けられた係合部に係合する鉤爪部１７１を有したものである。
【００６３】
前記掛止部材駆動機構２０は、前記図５、図７〜図１１及び図１９〜図２１に示すように、前記第２の昇降桿１１３の昇降動作を利用して前記掛止部材１９を作動させるようにしたものである。具体的には、前記掛止部材駆動機構２０は、前記第２の昇降桿１１３の取付部に取り付けられた掛止部材用の昇降体１７３と、この昇降体１７３を前記掛止部材１９の他方の回動端に連結する連結軸１７５とを備えたものである。なお、第２の昇降桿１１３に取り付けられた取付部と前記第１の昇降桿１０９に設けられた前記係止部材駆動部１５７の昇降体１６７を取り付けるための取付部とはドア１６の幅方向中央を通りドア１６の面板に直交する面について面対称である。すなわち、前記係止部材駆動部１５７の昇降体１６７と前記掛止部材１７１用の昇降体１７３とは同一高さ位置に同一の構造を持って取り付けられており、ドア１６の吊元を変更する仕様変更に対しても容易に対応できるようにしてある。具体的には、例えば、各取付部は、昇降桿１０９、１１３の外方を向く面に対をなすねじ孔を設けたものである。
【００６４】
また、前記掛止部材駆動機構２０は、図１９〜図２１に示すように、前記昇降桿１１３を上昇させて前記掛止部材１９を前記待機位置（ｔ）から中間位置を経て前記掛止位置（ｋ）に回動させる場合に、前記連結軸１７５と前記支軸１６９との軸心間距離が、前記待機位置（ｔ）から前記中間位置までは漸次小さくなり、前記中間位置から前記掛止位置（ｋ）までは漸次大きくなるように構成され、前記連結軸１７５と前記支軸１６９とを離間する方向に弾性付勢するためのばね１７７を備えたものである。この構造により、前記下巾木１４を没入姿勢（Ｂ）及び突出姿勢（Ｔ）において、前記ばね１７７の付勢力により安定保持させることができる。すなわち、前述したフランス落とし構造をなす操作部２３にも２つの位置における安定保持機能を有しているが、以上説明した構成によれば、この安定保持機能をより強化することが可能となる。
【００６５】
前記スタンダードパネル４は、上下の端部にそれぞれ横フレームを有するパネル本体と、このパネル本体の横フレームに支持された上下の巾木と、衝合時の突き合わせ力を利用して前記巾木を前記天井レール及び床に押し付けるワンタッチシール機構とを備えている。このスタンダードパネル４は、巾木をパネル本体に没入させた状態で天井レール１ａ〜１ｃに沿って移動させることができ、メインの天井レール１ａの下に引き出された段階で前記上下の巾木をパネル本体から突出させて前記ドアパネル３と面一に設置されるようになっている。なお、このスタンダードパネル４の内部構造は、本発明と無関係であるため説明を省略する。
【００６６】
前記テレスコープパネル５は、全ての前記スタンダードパネル４がメインの天井レール１ａの下方に引き出された後に、前記スタンダードパネル４と後側の壁見切り材３との間に引き出されるもので、最後尾のスタンダードパネル４の後の竪フレーム２１と後側の壁見切り材３との離間距離よりも小さな初期幅を備えている。すなわち、このテレスコープパネル５は、前記天井レールに懸吊支持されたパネル本体と、このパネル本体の上下端部にそれぞれ突没可能に設けられた上巾木及び下巾木と、前記パネル本体の一側部に突没可能に設けられた側巾木とを備えている。このテレスコープパネル５は、上巾木、下巾木及び側巾木をパネル本体に没入させた状態で天井レール１ａ〜１ｃに沿って移動させることができ、メインの天井レール１ａの下に引き出された段階で前記上巾木、下巾木及び側巾木をパネル本体から突出させて前記スタンダードパネル４と面一に設置されるようになっている。すなわち、メインレールの下に引き出された状態で前記側巾木を突出させることによりこのテレスコープパネルの前端側が前記最後尾のスタンダードパネルの後端に押し付けられるとともに、側巾木が後側の壁見切り材３に押し付けられる。この状態で、上巾木及び下巾木をパネル本体から突出させて天井レール及び床Ｆに押し付けることにより、設置が完了するようになっている。なお、このテレスコープパネル５の内部構造は、本発明と無関係であるため説明を省略する。
【００６７】
以上説明したように、本実施形態に係る可動間仕切壁Ｗの構成によれば、ドア１６が閉止姿勢にある場合に付勢部材１３１による引上げ力を解除して前記ドア巾木２５を重力により下方に突出させるとともに前記ドア１６が開き姿勢にある場合に前記ドア巾木２５を前記引上げ力により没入させるドア巾木作動機構１７を備えているので、ドア巾木を複数の動作吸収用ばねを介して床面に押し付ける従来のドア巾木作動機構を備えるものと比較して、部品点数の削減を図りつつ、床Ｆの不陸に対応させることができる。また、ドア巾木作動機構１７の各構成部品に強度が高いものを採用する必要がなく、さらにドア１６の開閉操作に悪影響を及ぼすこともない。
【００６８】
また、同実施形態によれば、前記下巾木１４を前記突出姿勢（Ｔ）から前記没入姿勢（Ｂ）に移動させるべく操作部２３に対して操作を行うと、前記ドア巾木動作制限機構１８が作動し、ドア１６が閉まっていても、他の操作を行うことなくドア巾木２５を没入したままにしておくことができる。すなわち、ドア付きパネル３を移動させるに際して、前記下巾木１４を前記突出姿勢（Ｔ）から前記没入姿勢（Ｂ）に移動させるための操作以外に特別な操作を行うことなくドア巾木２５を没入したままにしておくことができ、また、ドア巾木作動機構１７の機能解除操作をし忘れる等の操作ミスに起因するドア巾木２５を引きずったまま移動させてしまう等の不具合が発生することを防止することができる。
【００６９】
また、前記ドア１６を閉める動作に連動して前記作動子１２７がドア枠２１側に配された係止部材１５５に押圧されて没入動作を行うことで前記ドア巾木２５が重力を利用して下方に突出するように構成されたものであるので、ドアを閉める動作に伴って前記ドア巾木２５を下方に突出させるための構成を簡単な構成により実現できる。
【００７０】
さらに、前記ドア巾木作動機構１７の動作変換部１２９を、前記ドア本体１２５に設けられたベース１３３と、このベース１３３に中間部を枢支させ一方の回動端を前記ドア巾木にそれぞれ枢着した対をなす平行リンク部材１３５と、これらの平行リンク部材１３５の他方の回動端に枢結され進退することにより前記平行リンク部材１３５を回動させて前記ドア巾木２５を突没動作させる進退部材１３７と、この進退部材１３７に一方の回動端を枢着するとともに他方の回動端で前記作動子１２７を付勢すべく前記ベース１３３に枢支された天秤部材１３９とを備えたものとし、前記付勢部材１３１として、前記ドア巾木２５を没入させるとともに前記作動子１２７を突出させる方向に前記進退部材１３７を前記ベース１３３に対して弾性付勢するように配されたばねを採用しているので、ドア１６を開ける動作により下方に突出させたドア巾木２５を没入させるための機構も簡単な構成により実現できる。
【００７１】
加えて、前記ドア巾木作動制限機構１８が、前記ドア枠２１の一方の竪枠材２９に設けられ前記ドア１６を閉じた状態で前記ドア巾木作動機構１７の作動子１２７が侵入し得る窓２９ａと、この窓２９ａを閉塞して前記作動子１２７の侵入を係止する閉止位置（Ｃ）に配された前記係止部材１５５と、この係止部材１５５を前記下巾木１４が没入する動作を利用して前記作動子１２７の前記窓２９ａへの侵入を許容する開放位置（Ｏ）にまで退避させる係止部材駆動部１５７とを備えたものであるので、上述したドア巾木作動機構１７を利用しつつ、このドア付きパネル３を移動可能にすべく下巾木１４を没入させた状態ではドア１６を閉じた状態でも前記作動子１２７が前記窓２９ａを越えて突出する状態としておくことができる。
【００７２】
その上、前記係止部材駆動部１５７が、基端部を前記下巾木作動機構１５の昇降桿１０９に支持させた昇降体１６７を備えたものであり、この昇降体１６７の先端部に前記係止部材１５５が設けられているので、下巾木１４の没入動作に連動させて前記ドア巾木作動制限機構１８を作動させるための機構を無理なく実現することができる。
【００７３】
そして、前記係止部材１５５が、前記閉止位置（Ｃ）で前記窓２９ａを塞ぐための係止面１６１を有した係止部材本体１５９と、この係止部材本体１５９の作動方向一端側に延設され前記開放位置（Ｏ）から閉止位置（Ｃ）に移動する際に前記窓２９ａに侵入している前記作動子１２７を案内して前記係止面１６１上に導くためのカム面１６５を有した延出部１６３とを備えたものであるので、ドア付きパネル３の移動を完了して下巾木１４を突出させる動作に連動してドア巾木２５を突出させるための機構も、無理なく実現することができる。
【００７４】
なお、以上説明した実施形態では、ドア付きパネルが、下巾木を没入させた場合にドア巾木作動機構の働きを制限してドアが閉止姿勢にあるにも関わらずドア巾木を没入姿勢に自動的に維持させるようにしたドア巾木動作制限機構を備えたものについて説明したが、本発明に係る可動間仕切壁は、必ずしも前記ドア巾木動作制限機構を備えているものに限られないのは勿論である。すなわち、本発明は、例えば、手動切替え操作によってドア巾木作動機構の作動を制限するようにしたものにも、同様に適用が可能である。しかしながら、本発明を、前記ドア巾木動作制限機構を備えたものに適用すると、さらに顕著な効果が得られる。すなわち、前記ドア巾木動作制限機構は、前述したように、ドアを閉じる際に前記ドアの吊元側端面に突出させた作動子をドア枠の窓に設けた係止部材により受け止めるように構成されており、その際の前記作動子の没入動作に連動して前記ドア巾木が床方向に突出するように構成されている。しかして、前記係止部材には、ドア閉止時に前記作動子を受け止めて該作動子をドア本体内に押し込むのに耐るだけの強度が要求されるが、本発明によれば、動作吸収用ばねの反発力等に抗して前記作動子を押し込む必要がなく、比較的小さな力で前記作動子を押圧してドア巾木を床上に突出させることができる。そのため、前記係止部材や、この係止部材を下巾木の動きに連動させて移動させるための構成部品にも高い強度が要求されることがなくなるという格別な効果が得られる。
【００７５】
また、上述した実施形態では、ドア付きパネルのパネル本体に設けた通路用の開口部は下方に開放されているが、前記通路用の開口部が下方に開放されていない、換言すればドア枠を構成する竪枠材の下端部間同士を下横枠材を介して連結したドア付きパネルや、パネル本体を構成する前後の竪フレーム間を下横フレームを介して連結したドア付きパネルを有する可動間仕切壁に本発明を適用してももちろんよい。
【００７６】
さらに、上述した実施形態では、通路用の開口部の両側にドア枠を構成する竪枠材を配し、一方の前記竪枠材にドアの吊元を蝶持させるようにしているが、パネル本体の外側竪フレームにドアを直接蝶持させる態様等、通路用の開口部の両側にドア枠を構成する竪枠材を配する以外の態様の可動間仕切壁に本発明を適用してももちろんよい。
【００７７】
そして、上述した実施形態では、ドアを閉める動作に連動してドア巾木作動機構の作動子がドア枠側に配された係止部材に押圧されて没入動作を行うことでドア巾木が重力を利用して下方に突出するように構成しているが、リンク機構を介して前記作動子の没入動作の際の駆動力を前記ドア巾木に伝達して該ドア巾木を下方に突出させる態様の可動間仕切壁に本発明を適用してももちろんよい。また、ドア巾木が重力を利用して下方に突出するように構成したものであっても、ドア巾木作動機構の動作変換部は上述した実施形態に示したもの以外に、任意の構成を採用してもよい。
【００７８】
加えて、ドア巾木作動制限機構についても、上述した実施形態に示したもの以外に、任意の構成を採用してもよい。
【００７９】
その他、各部の具体的構成についても上記実施形態に限られるものではなく、本発明の趣旨を逸脱しない範囲で種々変形が可能である。
【符号の説明】
【００８０】
Ｗ…可動間仕切壁
１ａ〜１ｃ…天井レール
３…ドア付きパネル
１１…パネル本体
１４…下巾木
１６…ドア
１７…ドア巾木作動機構
１８…ドア巾木動作制限機構
２１…ドア枠
２５…ドア巾木
１３１…付勢部材
【図１】
2018003404.tif 000003
【図２】
2018003404.tif 000004
【図３】
2018003404.tif 000005
【図４】
2018003404.tif 000006
【図５】
2018003404.tif 000007
【図６】
2018003404.tif 000008
【図７】
2018003404.tif 000009
【図８】
2018003404.tif 000010
【図９】
2018003404.tif 000011
【図１０】
2018003404.tif 000012
【図１１】
2018003404.tif 000013
【図１２】
2018003404.tif 000014
【図１３】
2018003404.tif 000015
【図１４】
2018003404.tif 000016
【図１５】
2018003404.tif 000017
【図１６】
2018003404.tif 000018
【図１７】
2018003404.tif 000019
【図１８】
2018003404.tif 000020
【図１９】
2018003404.tif 000021
【図２０】
2018003404.tif 000022
【図２１】
2018003404.tif 000023